(57)【要約】【課題】            幅広のテープを用いる場合であっても、テープの弛みが殆ど生ずることなく通気損失の少ないうえに、より軽量化を実現できる電気掃除機用ホースを提供する。【解決手段】        軟質樹脂からなるテープを螺旋状に捲回し、その隣接する接合部同士の外周面に跨って導電線を内蔵する硬質樹脂からなる螺旋補強体を接着一体化するとともに、隣接する前記螺旋補強体間において略等間隔で導電線を内蔵する２条の樹脂線条体を前記テープの外周面に接着することにより、ホース壁内周面を略平滑な筒状に形成する。また、樹脂線条体を螺旋補強体よりも軸方向における幅を狭く形成し、かつ樹脂線条体の導電線の内蔵位置を螺旋補強体の導電線の内蔵位置よりも軸方向において中央部寄りに構成する。【選択図】          図２
2006025807.tif 000002
【特許請求の範囲】
【請求項１】
軟質樹脂からなるテープを螺旋状に捲回し、その隣接する接合部同士の外周面に跨って導電線を内蔵する硬質樹脂からなる螺旋補強体を接着一体化するとともに、隣接する前記螺旋補強体間において略等間隔で導電線を内蔵する２条の樹脂線条体を前記テープの外周面に接着することにより、ホース壁内周面を略平滑な筒状に形成したことを特徴とする電気掃除機用ホース。
【請求項２】
樹脂線条体は螺旋補強体よりも軸方向における幅が狭く形成され、かつ樹脂線条体の導電線の内蔵位置が螺旋補強体の導電線の内蔵位置よりも軸方向において中央部寄りである請求項１に記載の電気掃除機用ホース。
【発明の詳細な説明】
【技術分野】
【０００１】
本発明は、電気掃除機本体に取り付けられて使用される樹脂製の電気掃除機用ホースに関するものである。
【背景技術】
【０００２】
近年、熱可塑性エラストマー製のテープを螺旋状に捲回してなるホース本体と、オレフィン系の硬質樹脂からなる螺旋補強体を接合一体化した軽量で柔軟性に富む電気掃除機用ホースが実用化されている。（例えば、特許文献１参照)
【特許文献１】特開２００１−２９２９０号公報
【０００３】
上記特許文献１では、螺旋状に捲回したテープの隣接する側縁同士の継ぎ目に導電線を内部に埋設した硬質樹脂補強体を添着してテープの接合を図るとともに、導電線を前記継ぎ目の線上からずれた位置に配設してホース内部に露出する心配がないようにしている。また、前記硬質樹脂補強体を隣接する前記継ぎ目の中間部にも固着するように２条巻き(ダブルピッチ)にして、ホースの剛性を高めるようにしている。
【発明の開示】
【発明が解決しようとする課題】
【０００４】
しかし、螺旋巻きするテープは、生産効率の観点からできるだけ幅広いものを使用するのが望ましいが、この場合、硬質樹脂補強体の間でのテープの弛みが大きくなり、通気損失が大きくなる問題がある。また、隣接するテープの側縁同士を接合する必要から、幅広で断面積を大きく形成された硬質樹脂補強体をテープの継ぎ目間にも固着しているので、ホースの軽量化をより進めるうえで障害となるものである。
【０００５】
本発明は、上記の問題に鑑み、幅広のテープを用いる場合であっても、テープの弛みが殆ど生ずることなく通気損失の少ないうえに、より軽量化を実現できる電気掃除機用ホースを提供することを目的とする。
【課題を解決するための手段】
【０００６】
上記の目的を達成するため、本発明にかかる電気掃除機用ホースは、軟質樹脂からなるテープを螺旋状に捲回し、その隣接する接合部同士の外周面に跨って導電線を内蔵する硬質樹脂からなる螺旋補強体を接着一体化するとともに、隣接する前記螺旋補強体間において略等間隔で導電線を内蔵する２条の樹脂線条体を前記テープの外周面に接着することにより、ホース壁内周面を略平滑な筒状に形成することを手段とするものである。また、好ましくは、樹脂線条体は螺旋補強体よりも軸方向における幅が狭く形成され、かつ樹脂線条体の導電線の内蔵位置が螺旋補強体の導電線の内蔵位置よりも軸方向において中央部寄りであるように電気掃除機用ホースを構成するものである。
【発明の効果】
【０００７】
本発明の電気掃除機用ホースは、ホース壁内周面を形成するテープの内部方向への弛みを少なくし略平滑な面を保持するようにしたので、通気抵抗が少なく掃除機の吸気駆動にあたり通気損失を著しく改善することができる。また、テープ同士を接合する螺旋補強体とは別体の樹脂線条体を用いることにより、より軽量になるうえに、内蔵させる導電線の配設も容易に行うことができる。
【発明を実施するための最良の形態】
【０００８】
以下、添付図面に基づいて本発明の電気掃除機用ホースの実施形態を説明する。
【０００９】
図１は本発明の電気掃除機用ホースを取り付けた電気掃除機を示す側面図、図２は本発明の電気掃除機用ホースの一実施形態を示す要部部分切欠図、図３は図２における電気掃除機用ホースの要部拡大図である。
【００１０】
図１において、本発明の電気掃除機用ホース１は、本体側端部が管継手２を介して掃除機本体３の吸込口に接続され、手元側端部が接続管４を介して手元操作部５に接続されて取り付けられている。
【００１１】
図２および図３に示すように、電気掃除機用ホース１は、オレフィン系熱可塑性エラストマーまたはポリスチレン系熱可塑性エラストマーなどの熱可塑性エラストマーからなる軟質樹脂テープ１１をその側縁同士を当接させながら螺旋状に捲回し、この側縁同士の接合部１２の外周面に、ポリプロピレンなどからなる硬質樹脂製の螺旋補強体１３を押出機から押し出した直後の半溶融状態で螺旋状に捲回し、両者を融着一体化して筒状に保形形成されている。なお、前記螺旋補強体１３の肉厚内部には、裸銅線からなる導電線１４がテープの接合部１２の線上からずらした位置に片寄らせて埋設されている。
【００１２】
また、隣接する螺旋補強体１３，１３の間には、ポリプロピレンなどからなる硬質樹脂製の２条の線状体１５，１５を押出機から押し出した直後の半溶融状態でほぼ等間隔で螺旋状に捲回し、テープ１１の外周面に融着一体化させている。この線状体１５，１５の肉厚内部には、螺旋補強体１３と同様に、裸銅線からなる導電線１６，１６が埋設されているが、その埋設位置は軸方向において片寄らせることなくほぼ中央付近に設けられている。なお、線状体１５，１５の軸方向における幅ｔは螺旋補強体１３の幅Ｔよりも狭く形成されている。
【００１３】
本実施の形態では、テープ１１が幅広いものであっても、テープ１１同士接合用の螺旋補強体１３とは別の２条の線条体１５，１５を添着して、テープ１１が略直線筒状を保持するように保形できる。また、２条の線状体１５，１５は螺旋補強体１３よりも幅狭く断面積が小さいので軽量化できるほか、線状体１５，１５に内蔵させる導電線１６は、螺旋補強体１３の導電線１４のように螺旋補強体１３の中で片寄らせる必要がなく、その幅方向の中央付近に埋設すればよく、その配設作業が容易である。さらに、電気掃除機用ホース１における電気回路を構成する導電線についてみると、１条の導電線１４と２条の導電線１６，１６がトリプルピッチで螺旋状に捲回されていることになり、ダブルピッチで捲回する従来例に比して、電気掃除機用ホース１全体の導電線使用量が大きく減少して省資源に資することができる。
【００１４】
以上、本発明の一実施態様について説明したが、本発明は上記実施態様のみに限定されるものでなく、本発明における目的、効果を達成できる範囲内において適宜改変実施できるものである。
【図面の簡単な説明】
【００１５】
【図１】本発明の電気掃除機用ホースを取り付けた電気掃除機を示す側面図である。
【図２】本発明の電気掃除機用ホースの一実施形態を示す要部部分切欠図である。
【図３】図２における電気掃除機用ホースの要部拡大図である。
【符号の説明】
【００１６】
１  電気掃除機用ホース
１１  テープ
１２  接合部
１３  螺旋補強体
１４  導電線
１５，１５  線状体
１６，１６  導電線
【図１】
2006025807.tif 000003
【図２】
2006025807.tif 000004
【図３】
2006025807.tif 000005